(57)【要約】      （修正有）【課題】複数の容器を積み重ねることにより、一つの容器に収納可能な物よりも大きな物を収納可能とするブロック型容器及び積層容器を提供する。【解決手段】立方体状又は直方体状に形成された中空のブロック型容器１であって、上面部１１と底面部１２に開口１１１を有する角筒状の本体部材１０と、この本体部材１０の上面部１１の開口１１１を閉塞する板状の蓋部材２０と、本体部材１０の底面部１２の開口を閉塞する板状の底部材３０とを備え、本体部材１０は、蓋部材２０が取り外された状態で、底部材３０が取り外された状態の他の本体部材１０の底面部１２に係合する第一係合部１１２を、上面部１１に有した。【選択図】図２
0003192417.tif 000002
【実用新案登録請求の範囲】
【請求項１】
立方体状又は直方体状に形成された中空のブロック型容器であって、
上面部と底面部に開口を有する角筒状の本体部材と、
この本体部材の前記上面部の前記開口を閉塞する板状の蓋部材と、
前記本体部材の前記底面部の前記開口を閉塞する板状の底部材とを備え、
前記本体部材は、
前記蓋部材が取り外された状態で、前記底部材が取り外された状態の他の本体部材の底面部に係合する第一係合部を、前記上面部に有した
ことを特徴とするブロック型容器。
【請求項２】
前記第一係合部は、前記他の本体部材の底面部に係合可能な形状であって、他の前記ブロック型容器における前記底部材の底面に形成された底部材側被係合部に係合可能な形状を有した
ことを特徴とする請求項１記載のブロック型容器。
【請求項３】
前記第一係合部は、前記他の本体部材の底面部に係合可能な形状であって、前記蓋部材の底面に形成された蓋部材側被係合部に係合可能な形状を有した
ことを特徴とする請求項１又は２記載のブロック型容器。
【請求項４】
前記蓋部材は、他の前記ブロック型容器における前記底部材の前記底部材側被係合部に係合する第二係合部を有した
ことを特徴とする請求項２に記載のブロック型容器。
【請求項５】
前記第二係合部は、前記他のブロック型容器における前記底部材の前記底部材側被係合部に係合可能な形状であって、他の前記ブロック型容器における前記本体部材の底面部に形成された本体部材側被係合部に係合可能な形状を有した
ことを特徴とする請求項４記載のブロック型容器。
【請求項６】
前記底部材は、底面に底部材側被係合部を有し、
当該底部材側被係合部は、他の前記ブロック型容器における前記蓋部材の前記第二係合部が係合可能であるとともに、他の前記ブロック型容器における前記本体部材の前記第一係合部が係合可能である
ことを特徴とする請求項４又は５記載のブロック型容器。
【請求項７】
前記本体部材は、前記底面部に本体部材側被係合部を有し、
当該本体部材側被係合部は、他の前記本体部材の前記第一係合部と、他の前記ブロック型容器における前記蓋部材の前記第二係合部と、前記底部材の上面に形成された第三係合部とが係合可能である
ことを特徴とする請求項４〜６のいずれかに記載のブロック型容器。
【請求項８】
ブロック型容器又はブロック型容器の部品を複数積み重ねた積層容器であって、
前記ブロック型容器が、前記請求項１〜請求項７のいずれかに記載のブロック型容器である
ことを特徴とする積層容器。
【考案の詳細な説明】
【技術分野】
【０００１】
本考案は、立方体状又は直方体状に形成された中空のブロック型容器、及び、複数のブロック型容器を積み重ねた積層容器に関し、特に、角筒状の本体部材と、この本体部材の上面側の開口を閉塞する蓋部材と、本体部材の底面側の開口を閉塞する底部材とを備え、本体部材に蓋部材と底部材とを取り付けて容器として使用することができ、また、本体部材同士を連結し、上下方向に複数段積み重ねることで、筆記具等を入れる容器としても使用可能なブロック型容器及び積層容器に関する。
【背景技術】
【０００２】
従来から、所望の物品を収納する容器について、種々の改良が提案されている。
例えば、特許文献１には、上面部に開口を有する有底で中空の本体部材と、この本体部材の上面部の開口を閉塞する蓋部材とを備えた容器が開示されている。
この容器は、蓋部材の上面部に凹状の段差を有し、本体部材の底部下面に凸状の段差を有しており、これらが係合可能となっている。
これにより、当該容器を複数用意したときに、これら複数の容器を上下方向に積み重ねることができるようになっている。
【先行技術文献】
【特許文献】
【０００３】
【特許文献１】特開平１１−２０８２８号公報
【考案の概要】
【考案が解決しようとする課題】
【０００４】
しかしながら、上述した特許文献１に開示されている容器は、複数の容器をそのまま上下に積み重ねているので、この積み重ねられた容器に収納できる物の大きさは、一つの容器に収納できる物の大きさに限られていた。
例えば、一つの容器に収納できる物の大きさが、消しゴム一個分程度の大きさであったとする。
このような大きさの容器を複数積み重ねた場合、外見上は、容積が大きくなったように見える。
ところが、これら複数の容器を積み重ねた積層容器の内部は、本体部材の底部と蓋部材とで仕切られている。
このため、収納できる物の大きさは、依然として消しゴム一個分程度の大きさでしかなかった。
このことから、特許文献１に開示されている容器は、積み重ねる容器の数をいくら増やしても、消しゴムよりも大きな物、例えば、シャープペンシルやボールペンなどの筆記具、長尺状の物差し、カッターナイフなどを収納することができないので、この点で利便性の低いものとなっていた。
【０００５】
本考案は、このような課題を解決するために提案されたものであり、複数の容器を積み重ねることにより、一つの容器に収納可能な物よりも大きな物を収納可能にして、利便性を向上させたブロック型容器及び積層容器の提供を目的とする。
【課題を解決するための手段】
【０００６】
上記目的を達成するため、本考案のブロック型容器は、立方体状又は直方体状に形成された中空のブロック型容器であって、上面部と底面部に開口を有する角筒状の本体部材と、この本体部材の上面部の開口を閉塞する板状の蓋部材と、本体部材の底面部の開口を閉塞する板状の底部材とを備え、本体部材は、蓋部材が取り外された状態で、底部材が取り外された状態の他の本体部材の底面部に係合する第一係合部を、上面部に有した構成としてある。
【０００７】
また、本考案の積層容器は、ブロック型容器又はブロック型容器の部品を複数積み重ねた積層容器であって、ブロック型容器が、上述のブロック型容器である構成としてある。
【考案の効果】
【０００８】
本考案のブロック型容器及び積層容器によれば、蓋部材が取り外された状態の一の本体部材の上面部と、底部材が取り外された状態の他の本体部材の底面部とを係合し、これら複数の本体部材を積み重ねることにより、一つの容器に収納可能な物よりも大きな物を収納できる。これにより、当該ブロック型容器の利便性を向上させることができる。
【図面の簡単な説明】
【０００９】
【図１】本考案の一実施形態に係るブロック型容器の構成を示す外観斜視図である。
【図２】本考案の一実施形態に係るブロック型容器の構成を示す分解斜視図であって、斜め上方向から見た状態を示す図である。
【図３】本考案の一実施形態に係るブロック型容器の構成を示す分解斜視図であって、斜め下方向から見た状態を示す図である。
【図４】二つのブロック型容器を積み重ねた積層容器の構成を示す外観斜視図である。
【図５】蓋部材の上面図である。
【図６】複数（四つ）のブロック型容器を三次元方向に積み重ねた積層容器の構成を示す外観斜視図である。
【図７】複数（五つ）のブロック型容器を三次元方向に積み重ねた積層容器の構成を示す外観斜視図である。
【図８】蓋部材を取り外したブロック型容器の上に底部材を取り外したブロック型容器を積み重ねた積層容器の構成を示す外観斜視図である。
【図９】三つの本体部材を積み重ねた積層容器の構成を示す外観斜視図である。
【図１０】蓋部材が取り付けられたブロック型容器の上に底部材を取り外したブロック型容器を積み重ねた積層容器の構成を示す外観斜視図である。
【図１１】蓋部材を取り外したブロック型容器の上に底部材が取り付けられたブロック型容器を積み重ねた積層容器の構成を示す外観斜視図である。
【考案を実施するための形態】
【００１０】
以下、本考案に係るブロック型容器及び積層容器の好ましい実施形態について、図１〜図１１を参照しながら説明する。
【００１１】
図１〜図３に示すように、ブロック型容器１は、全体に立方体状又は直方体状に形成された中空の容器であって、本体部材１０と蓋部材２０と底部材３０を、構成部品として備えている。
本体部材１０は、上面部１１に開口１１１が形成され、底面部１２にも開口１２１が形成された角筒状の部材である。
蓋部材２０は、本体部材１０の上面部１１の開口１１１を閉塞するための矩形板状の部材である。
底部材３０は、本体部材１０の底面部１２の開口１２１を閉塞するための矩形板状の部材である。
【００１２】
蓋部材２０が本体部材１０の上面部１１の開口１１１を閉塞可能とするために、本体部材１０と蓋部材２０は、次のような構成を有している。
本体部材１０の上面部１１には、矩形状の開口１１１が形成されている。この開口１１１は、当該本体部材１０の内部中空部１３に連通している。この開口１１１の縁部には、当該上面部１１から直交外方（上方）へ向かって突設された第一係合部である突部１１２が、その縁部において矩形環状に形成されている。この突部１１２は、本体部材１０の上面部１１において、当該上面部１１の周縁に接していない位置すなわち当該上面部１１の周縁よりも内側に形成されている。
一方、蓋部材２０の底面２１には、当該底面２１の周縁に、当該底面２１から直交外方（下方）へ向かって突設された蓋部材側被係合部である突部２１１が、その周縁において矩形環状に形成されている。
【００１３】
本体部材１０の上面部１１と蓋部材２０の底面２１は、ほぼ同じ形状（矩形状）に形成されている。このため、本体部材１０の上面部１１の上に蓋部材２０を載置したとき、蓋部材２０の底面２１の周縁の直下に本体部材１０の上面部１１の周縁が位置するようになる。
また、このように本体部材１０の上面部１１の上に蓋部材２０を載置したとき、本体部材１０の上面部１１の突部１１２が、蓋部材２０の底面２１の突部２１１の内側に進入する。そして、本体部材１０の突部１１２の上面１１３が蓋部材２０の底面２１における突部２１１よりも内側の面２１２に当接し、蓋部材２０の突部２１１の下面２１３が本体部材１０の上面部１１における突部１１２よりも外側の面１１４に当接する。さらに、本体部材１０の突部１１２の外周面１１５が蓋部材２０の突部２１１の内側面２１４に接触又は近接する。
このようにして、本体部材１０の突部１１２である第一係合部が蓋部材２０の突部２１１である蓋部材側被係合部に係合することにより、本体部材１０と蓋部材２０が嵌合し、蓋部材２０が本体部材１０の上面部１１の開口１１１を閉塞するようになっている。
【００１４】
底部材３０が本体部材１０の底面部１２の開口１２１を閉塞可能とするために、本体部材１０と底部材３０は、次のような構成を有している。
本体部材１０の底面部１２には、矩形状の開口１２１が形成されている。この開口１２１は、当該本体部材１０の内部中空部１３に連通している。ここで、角筒状に形成された本体部材１０のうち底面部１２及びこの近傍に位置する部分を本体部材側被係合部とする。
一方、底部材３０の上面３１には、当該上面３１の周縁に、当該上面３１から直交外方（上方）へ向かって突設された第三係合部である突部３１１が、その周縁において矩形環状に形成されている。この突部３１１は、当該上面３１の周縁に接していない位置すなわち当該上面３１の周縁よりも内側に形成されている。
【００１５】
本体部材１０の底面部１２と底部材３０の上面３１は、ほぼ同じ形状（矩形状）に形成されている。このため、底部材３０の上面３１に本体部材１０の底面部１２を重ね合わせたとき、本体部材１０の底面部１２の周縁の直下に底部材３０の上面３１の周縁が位置するようになる。
また、このように底部材３０の上面３１に本体部材１０の底面部１２を重ね合わせたとき、底部材３０の上面３１の突部３１１が、本体部材１０の底面部１２の開口１２１の内側に進入する。そして、本体部材１０の底面部１２において開口１２１の縁部の外側に位置する下面１２２が底部材３０の上面３１における突部３１１よりも外側の面３１２に当接する。また、角筒状に形成された本体部材１０の内側面１２３のうち底面部１２の開口１２１の周縁及びこの近傍に位置する部分である底面部側内側面１２４が底部材３０の突部３１１の外周面３１３に接触又は近接する。
このようにして、底部材３０の突部３１１である第三係合部が本体部材１０の本体部材側被係合部に係合することにより、本体部材１０と底部材３０が嵌合し、底部材３０が本体部材１０の底面部１２の開口１２１を閉塞するようになっている。
【００１６】
そして、本体部材１０の上面部１１に蓋部材２０を取り付けるとともに、その本体部材１０の底面部１２に底部材３０を取り付けることにより、一つのブロック型容器１を形成することができる。
このブロック型容器１は、外見上は、立方体状又は直方体状の箱体であるが、内部には所定の容積を有する中空の空間である内部中空部１３が形成されていることから、この内部中空部１３に所望の物品を収納する容器として使用することができる。
そして、蓋部材２０を取り外すことにより、本体部材１０の上面部１１の開口１１１が開放された状態となり、この開口１１１が内部中空部１３に連通しているので、この開口１１１を通して内部中空部１３に対し所望の物品を出し入れすることができるようになる。
【００１７】
また、ブロック型容器１は、図４に示すように、複数のブロック型容器１を上下方向に積み重ねた積層容器Ａ１として使用することができる。
この場合、下に位置するブロック型容器１の蓋部材２０と上に位置するブロック型容器１の底部材３０は、次のような構成を有することにより、嵌合可能となっている。
蓋部材２０の上面２２には、当該上面２２から直交外方（上方）へ向かって突設された環状突部２２１が、第二係合部として、複数（本実施形態においては、四つ）形成されている（図２参照）。これら複数の環状突部２２１は、当該上面２２における所定の位置に形成されているが、当該上面２２の周縁に接しない位置すなわち当該上面２２の周縁よりも内側に形成されている。
一方、底部材３０の底面３２には、当該底面３２の周縁に、当該底面３２から直交外方（下方）へ向かって突設された底部材側被係合部である周縁突部３２１が、その周縁において矩形環状に形成されている（図３参照）。
また、底部材３０の底面３２の中程には、当該底面３２から直交外方（下方）へ向かって突設された底部材側被係合部である環状突部３２２が形成されている。
【００１８】
下に位置するブロック型容器１の蓋部材２０に対して、上に位置するブロック型容器１の底部材３０を重ね合わせたとき、蓋部材２０の上面２２の環状突部２２１が、底部材３０の底面３２の周縁突部３２１の内側に進入する。なお、図５は、下に位置するブロック型容器１の蓋部材２０を平面視したときの図であって、当該蓋部材２０に対して上に位置するブロック型容器１の底部材３０を重ね合わせたときに、蓋部材２０の上面２２の環状突部２２１が、底部材３０の底面３２の周縁突部３２１の内側に位置していることを示している。
そして、蓋部材２０の環状突部２２１の上面２２２が底部材３０の底面３２における周縁突部３２１よりも内側の面３２３に当接し、底部材３０の周縁突部３２１の下面３２４が蓋部材２０の上面２２における環状突部２２１の外側の面２２３に当接する。また、蓋部材２０の環状突部２２１の外周面２２４が底部材３０の周縁突部３２１の内側面３２５に接触又は近接する。さらに、底部材３０の環状突部３２２の外周面３２６が蓋部材２０の環状突部２２１の外周面２２４に接触又は近接する（図５参照）。
このようにして、蓋部材２０の環状突部２２１である第二係合部が底部材３０の周縁突部３２１及び環状突部３２２である底部材側被係合部に係合することにより、下に位置するブロック型容器１の蓋部材２０と上に位置するブロック型容器１の底部材３０とが、嵌合可能となっている。これにより、ブロック型容器１は、複数のブロック型容器１を上下方向に積み重ねた積層容器Ａ１として使用することができる。
【００１９】
また、ブロック型容器１は、上下方向に複数段積み重ねた積層容器Ａ１として使用することが可能となっているだけでなく、例えば、図６、図７に示すように、複数のブロック型容器１を斜め上方向に積み重ねたり、横方向（平面方向）に並べたり、横方向（平面方向）に並べた複数のブロック型容器１を土台として縦方向（高さ方向）に積み重ねたりするなどして、三次元方向に連接した積層容器Ａ２、Ａ３として使用することができる。
この場合、上に位置するブロック型容器１の底部材３０における底部材側被係合部（周縁突部３２１及び環状突部３２２）は、下に位置するブロック型容器１の蓋部材２０に形成された複数の環状突部２２１のうち一部（本実施形態においては、四つの環状突部２２１のうちの一つ又は二つの環状突部２２１）に係合する。また、上に位置する一つのブロック型容器１に対して、下に位置するブロック型容器１が複数あるときは、これら複数のブロック型容器１のそれぞれにおいて、蓋部材２０に形成された複数の環状突部２２１のうちの一つ又は二つの環状突部２２１に対して、上に位置するブロック型容器１の底部材３０における底部材側被係合部が係合する。
このように、ブロック型容器１は、一のブロック型容器１における底部材３０の底面３２の一部と他のブロック型容器１における蓋部材２０の上面２２の一部が係合可能となっている。これにより、複数のブロック型容器１は、縦（高さ方向）や横（平面方向）の三次元方向に連接、並設することができる。そして、これら複数のブロック型容器１を任意の数だけ任意の方向に組み合わせた積層容器Ａ２、Ａ３として使用することができる。
【００２０】
また、ブロック型容器１は、図８に示すように、ブロック型容器１の部品である本体部材１０を上下方向に複数積み重ねた積層容器Ａ４として使用することができるようになっている。
すなわち、一のブロック型容器１から蓋部材２０を取り外し、他のブロック型容器１から底部材３０を取り外した状態で、前者のブロック型容器１を下に位置させ、後者のブロック型容器１を上に位置させて、前者のブロック型容器１における本体部材１０（本体部材１０ａ）の上面部１１に対し後者のブロック型容器１における本体部材１０（本体部材１０ｂ）の底面部１２を直接嵌合させる。これにより、複数の本体部材１０を直接積み重ねた積層容器Ａ４を形成することができる。
【００２１】
このように本体部材１０同士を積み重ねたとき、本体部材１０ａと本体部材１０ｂは、次のような状態で嵌合する。
本体部材１０ａの上面部１１の上に本体部材１０ｂを載置したときに、本体部材１０ａの上面部１１の突部１１２が、本体部材１０ｂの底面部１２の開口１２１の内側に進入する。そして、本体部材１０ｂの底面部１２において開口１２１の縁部の外側に位置する下面１２２が本体部材１０ａの上面部１１における突部１１２の外側の面１１４に当接する。また、本体部材１０ａの突部１１２の外周面１１５が本体部材１０ｂの底面部側内側面１２４に接触又は近接する。
このようにして、本体部材１０ａの突部１１２である第一係合部が本体部材１０ｂの本体部材側被係合部に係合することにより、本体部材１０ａと本体部材１０ｂは、嵌合可能となっている。これにより、ブロック型容器１は、複数の本体部材１０同士を上下方向に積み重ねた積層容器Ａ４として使用することができる。
【００２２】
そして、図８に示す積層容器Ａ４は、下に位置するブロック型容器１から蓋部材２０が取り外されており、上に位置するブロック型容器１から底部材３０が取り外されており、この状態で二つの本体部材１０ａ、１０ｂが上下方向に積み重ねられた状態となっている。このため、下に位置するブロック型容器１の本体部材１０ａの内部中空部１３と、上に位置するブロック型容器１の本体部材１０ｂの内部中空部１３は、連通した状態となり、このように連通した内部中空部１３によって当該積層容器Ａ４の内部の収納空間を形成している。
つまり、積層容器Ａ４の容積は、一つのブロック型容器１の容積の約２倍となっている。このため、積層容器Ａ４には、一つのブロック型容器１に収納可能な大きさの物よりも大きいものを収納することができる。
【００２３】
さらに、図８に示す積層容器Ａ４は、二つの本体部材１０を積み重ねたものであるが、例えば、図９に示すように、本体部材１０は、三つ以上積み重ねることができる。
この場合、積層容器Ａ４の容積は、一つのブロック型容器１の容積の３倍以上となる。このため、この積層容器Ａ４には、一つのブロック型容器１に収納可能な大きさの物よりも大きいものを収納することができる。
しかも、図９に示すように、最も上に位置するブロック型容器１の蓋部材２０を取り外すことにより、積層容器Ａ４の高さ（最も下に位置するブロック型容器１の底部材３０の底面３２を最下点とし、最も上に位置する本体部材１０の上面部１１における突部１１２の上面１１３を最上点としたときに、最下点から最上点までの高さ）よりも長い物を収納することができる。例えば、同図に示すように、シャープペンシルや鉛筆などの筆記具、長尺状の物差し、カッターナイフなどを収納できる。
なお、図９に示す積層容器Ａ４においては、最も下に位置する本体部材１０の底面部１２に底部材３０が取り付けられているが、この底部材３０を取り外した状態で当該積層容器Ａ４を使用することもできる。
【００２４】
また、ブロック型容器１は、図１０に示すような構成を有する積層容器Ａ５として使用することができる。すなわち、下に位置するブロック型容器１の蓋部材２０が本体部材１０ａに取り付けられており、上に位置するブロック型容器１の底部材３０が本体部材１０ｂから取り外された状態で、下に位置するブロック型容器１の蓋部材２０と上に位置するブロック型容器１の本体部材１０ｂとを嵌合させることにより、積層容器Ａ５を形成することができる。
この場合、本体部材１０ｂと蓋部材２０は、次のような構成により嵌合可能となっている。
下に位置するブロック型容器１の蓋部材２０に対して、上に位置するブロック型容器１の本体部材１０ｂの底面部１２を重ね合わせたときに、蓋部材２０の上面２２の環状突部２２１が、本体部材１０ｂの底面部１２の開口１２１の内側に進入する。そして、本体部材１０ｂの底面部１２において開口１２１の縁部の外側に位置する下面１２２が蓋部材２０の上面２２における環状突部２２１よりも外側の面２２３に当接する。また、蓋部材２０の環状突部２２１の外周面２２４が本体部材１０ｂの底面部側内側面１２４に接触又は近接する。
このようにして、蓋部材２０の環状突部２１１である第二係合部が本体部材１０ｂの本体部材側被係合部に係合することにより、本体部材１０ｂと蓋部材２０は、嵌合可能となっている。これにより、ブロック型容器１は、下に位置するブロック型容器１の蓋部材２０と上に位置するブロック型容器１の本体部材１０ｂとを嵌合させた積層容器Ａ５として使用することができる。
【００２５】
また、ブロック型容器１は、図１１に示すような構成を有する積層容器Ａ６として使用することができる。すなわち、下に位置するブロック型容器１の蓋部材２０が本体部材１０ａから取り外されており、上に位置するブロック型容器１の底部材３０が本体部材１０ｂに取り付けられた状態で、下に位置するブロック型容器１の本体部材１０ａと上に位置するブロック型容器１の底部材３０とを嵌合させることにより、積層容器Ａ６を形成することができる。
この場合、本体部材１０ａと底部材３０は、次のような構成により嵌合可能となっている。
下に位置するブロック型容器１の本体部材１０ａの上面部１１に対して、上に位置するブロック型容器１の底部材３０を重ね合わせたときに、本体部材１０ａの上面部１１の突部１１２が、底部材３０の底面３２の周縁突部３２１の内側に進入する。そして、本体部材１０ａの突部１１２の上面１１３が底部材３０の底面３２における周縁突部３２１よりも内側の面３２３に当接し、底部材３０の周縁突部３２１の下面３２４が本体部材１０ａの上面部１１における突部１１２の外側の面１１４に当接する。また、本体部材１０ａの突部１１２の外周面１１５が底部材３０の周縁突部３２１の内側面３２５に接触又は近接する。
このようにして、本体部材１０ａの突部１１２である第一係合部が底部材３０の周縁突部３２１である底部材側被係合部に係合することにより、本体部材１０ａと底部材３０は、嵌合可能となっている。これにより、ブロック型容器１は、下に位置するブロック型容器１の本体部材１０ａと上に位置するブロック型容器１の底部材３０とを嵌合させた積層容器Ａ６として使用することができる。
【００２６】
以上説明したように、本実施形態のブロック型容器及び積層容器によれば、ブロック型容器の構成部品である本体部材と蓋部材と底部材とを任意に組み合わせて積み重ねることにより、所望の高さで所望の容積の積層容器を形成することができる。
【００２７】
また、このようにブロック型容器の構成部品を任意に組み合わせることを可能とするために、構成部品は、次のような構成を有している。
例えば、本体部材の第一係合部である上面部の突部は、蓋部材の底面に形成された蓋部材側被係合部と、他の本体部材の底面部と、他のブロック型容器における底部材の底面に形成された底部材側被係合部とのいずれにも係合可能な形状を有している。
また、蓋部材の第二係合部である上面の環状突部は、他のブロック型容器における本体部材の底面部に形成された本体部材側被係合部と、他のブロック型容器における底部材の底面に形成された底部材側被係合部とのいずれにも係合可能な形状を有している。
さらに、底部材の底部材側被係合部は、蓋部材の第二係合部が係合可能であるとともに、本体部材の第一係合部が係合可能となっている。
しかも、本体部材の本体部材側被係合部は、他の本体部材の第一係合部と、他のブロック型容器における蓋部材の第二係合部と、底部材の上面に形成された第三係合部とが係合可能となっている。
このような構成を有することにより、本実施形態のブロック型容器は、構成部品である本体部材と蓋部材と底部材とを任意に組み合わせて積み重ねることが可能となっており、これにより、所望の高さで所望の容積の積層容器を形成することができる。
【００２８】
また、本実施形態のブロック型容器は、複数の本体部材を直接積み重ねて一の積層容器を形成することが可能となっている。これにより、一つのブロック型容器に収納可能な物よりも大きな物を収納可能な積層容器を形成できる。これにより、当該ブロック型容器の利便性を向上させることができる。
【００２９】
以上、本考案のブロック型容器及び積層容器の好ましい実施形態について説明したが、本考案に係るブロック型容器及び積層容器は上述した実施形態にのみ限定されるものではなく、本考案の範囲で種々の変更実施が可能であることは言うまでもない。
例えば、上述した実施形態においては、蓋部材の上面に形成されている突部を環状突部としたが、この突部の形状は、環状に限るものではなく、矩形状や点状などの形状であってもよい。
【産業上の利用可能性】
【００３０】
本考案は、所望の物品を収納する容器に好適に利用することができる。
【符号の説明】
【００３１】
１  ブロック型容器
１０  本体部材
１１  上面部
１１１  開口
１１２  突部（第一係合部）
１２  底面部
１２１  開口
１２４  底面部側内側面（本体部材側被係合部）
２０  蓋部材
２１  底面
２１１  突部（蓋部材側被係合部）
２２１  環状突部（第二係合部）
３０  底部材
３１  上面
３１１  突部（第三係合部）
３２  底面
３２１  周縁突部（底部材側被係合部）
３２２  環状突部（底部材側被係合部）
Ａ１〜Ａ６  積層容器
【図１】
0003192417.tif 000003
【図２】
0003192417.tif 000004
【図３】
0003192417.tif 000005
【図４】
0003192417.tif 000006
【図５】
0003192417.tif 000007
【図６】
0003192417.tif 000008
【図７】
0003192417.tif 000009
【図８】
0003192417.tif 000010
【図９】
0003192417.tif 000011
【図１０】
0003192417.tif 000012
【図１１】
0003192417.tif 000013